(57)【特許請求の範囲】
【請求項１】
平型ケーブルを基板に対して接続するために、前記基板に搭載される平型ケーブル用コネクタであって、
前記平型ケーブルに接触可能な端子と、
前記平型ケーブルの抜去を補助する抜去補助具と、
前記端子及び前記抜去補助具を保持するハウジングと、
を有するコネクタ本体と、
前記コネクタ本体によって回転可能に支持されたアクチュエータと、
を備え、
前記コネクタ本体には、前記平型ケーブルを挿入可能なケーブル挿入空間が形成されており、
前記平型ケーブルを前記ケーブル挿入空間に挿入し、前記アクチュエータをアンロック位置からロック位置へと回転させると、前記平型ケーブルが前記平型ケーブル用コネクタによって保持されるように構成されており、
前記コネクタ本体は、前記コネクタ本体によって保持された状態の前記平型ケーブルの前記ケーブル挿入空間からの抜去を禁止するために、前記基板から離れる方向に突出する抜去禁止突出部を有し、
前記抜去補助具は、前記ハウジングに固定される固定部と、揺動部と、前記固定部と前記揺動部を弾性的に連結する弾性連結部と、を有し、
前記揺動部は、前記アクチュエータに対して接触可能な操作部と、前記平型ケーブルの下面に対して接触可能な押上部と、を有し、
前記平型ケーブルが前記ケーブル挿入空間に挿入されていない状態で、前記アクチュエータを前記ロック位置から前記アンロック位置へと回転させると、前記アクチュエータと前記操作部との接触を伴いつつ前記揺動部が揺動して、前記押上部が前記基板から離れる方向へ移動し、
前記平型ケーブルが前記ケーブル挿入空間に挿入されていない状態で、前記アクチュエータを前記アンロック位置から前記ロック位置へと回転させると、前記アクチュエータと前記操作部との接触を伴いつつ前記揺動部が揺動して、前記押上部が前記基板に向かって移動する、
平型ケーブル用コネクタ。
【請求項２】
請求項１に記載の平型ケーブル用コネクタであって、
前記押上部は、前記抜去禁止突出部の近傍に配置されている、
平型ケーブル用コネクタ。
【請求項３】
請求項１又は２に記載の平型ケーブル用コネクタであって、
前記アクチュエータを前記ロック位置から前記アンロック位置へと回転させると、前記押上部が前記基板から離れる方向へ移動し、前記押上部が前記抜去禁止突出部の上端部と対向する、
平型ケーブル用コネクタ。
【請求項４】
請求項１〜３の何れかに記載の平型ケーブル用コネクタであって、
前記ケーブル挿入空間は、前方に開口するように前記コネクタ本体に形成されており、
前記抜去補助具は、前記抜去禁止突出部の後方に配置されている、
平型ケーブル用コネクタ。
【請求項５】
請求項１〜４の何れかに記載の平型ケーブル用コネクタであって、
前記アクチュエータを前記アンロック位置から前記ロック位置へと回転させると、前記押上部が前記基板に向かって移動し、前記押上部が前記平型ケーブルの前記下面と接触不能になる、
平型ケーブル用コネクタ。
【請求項６】
請求項１〜５の何れかに記載の平型ケーブル用コネクタであって、
前記揺動部は、前記平型ケーブル用コネクタによって保持された状態の前記平型ケーブルの上面に対して接触可能なケーブル押さえ部を更に有する、
平型ケーブル用コネクタ。
【請求項７】
請求項１〜６の何れかに記載の平型ケーブル用コネクタであって、
前記抜去禁止突出部は、前記ハウジングと一体的に形成されている、
平型ケーブル用コネクタ。
【発明の詳細な説明】
【技術分野】
【０００１】
本発明は、平型ケーブル用コネクタに関する。
【背景技術】
【０００２】
特許文献１は、本願の図２８に示すように、FPC１００が挿入されるFPC挿入部１０１が形成されたハウジング１０２を備えたFPC用コネクタ１０３を開示している。ハウジング１０２には、抜去防止用の係合突起１０４が一体的に形成されている。そして、FPC１００をFPC挿入部１０１に差し込むと、FPC１００に形成された切り欠き状の被係合部１０５内に係合突起１０４が挿入されるようになっている。
【先行技術文献】
【特許文献】
【０００３】
【特許文献１】特開２０１３−２６１０１号公報
【発明の概要】
【発明が解決しようとする課題】
【０００４】
上記特許文献１の構成で、FPC１００をFPC用コネクタ１０３から抜去するには、操作レバー１０６を引き起こし、FPC１００をFPC挿入部１０１内で上下動可能にした上で、FPC１００に抜去方向の力を加える。係合突起１０４の係合面１０７を傾斜させているので、FPC１００をFPC用コネクタ１０３から抜去し易いとしている。
【０００５】
しかしながら、上記特許文献１には、FPC１００の抜去し易さの面で改善の余地が残されている。
【０００６】
本発明の目的は、平型ケーブルの抜去を一層容易とするための技術を提供することにある。
【課題を解決するための手段】
【０００７】
本願発明によれば、平型ケーブルを基板に対して接続するために、前記基板に搭載される平型ケーブル用コネクタであって、前記平型ケーブルに接触可能な端子と、前記平型ケーブルの抜去を補助する抜去補助具と、前記端子及び前記抜去補助具を保持するハウジングと、を有するコネクタ本体と、前記コネクタ本体によって回転可能に支持されたアクチュエータと、を備え、前記コネクタ本体には、前記平型ケーブルを挿入可能なケーブル挿入空間が形成されており、前記平型ケーブルを前記ケーブル挿入空間に挿入し、前記アクチュエータをアンロック位置からロック位置へと回転させると、前記平型ケーブルが前記平型ケーブル用コネクタによって保持されるように構成されており、前記コネクタ本体は、前記コネクタ本体によって保持された状態の前記平型ケーブルの前記ケーブル挿入空間からの抜去を禁止するために、前記基板から離れる方向に突出する抜去禁止突出部を有し、前記抜去補助具は、前記ハウジングに固定される固定部と、揺動部と、前記固定部と前記揺動部を弾性的に連結する弾性連結部と、を有し、前記揺動部は、前記アクチュエータに対して接触可能な操作部と、前記平型ケーブルの下面に対して接触可能な押上部と、を有し、前記平型ケーブルが前記ケーブル挿入空間に挿入されていない状態で、前記アクチュエータを前記ロック位置から前記アンロック位置へと回転させると、前記アクチュエータと前記操作部との接触を伴いつつ前記揺動部が揺動して、前記押上部が前記基板から離れる方向へ移動し、前記平型ケーブルが前記ケーブル挿入空間に挿入されていない状態で、前記アクチュエータを前記アンロック位置から前記ロック位置へと回転させると、前記アクチュエータと前記操作部との接触を伴いつつ前記揺動部が揺動して、前記押上部が前記基板に向かって移動する、平型ケーブル用コネクタが提供される。
前記押上部は、前記抜去禁止突出部の近傍に配置されている。
前記アクチュエータを前記ロック位置から前記アンロック位置へと回転させると、前記押上部が前記基板から離れる方向へ移動し、前記押上部が前記抜去禁止突出部の上端部と対向する。
前記ケーブル挿入空間は、前方に開口するように前記コネクタ本体に形成されており、前記抜去補助具は、前記抜去禁止突出部の後方に配置されている。
前記アクチュエータを前記アンロック位置から前記ロック位置へと回転させると、前記押上部が前記基板に向かって移動し、前記押上部が前記平型ケーブルの前記下面と接触不能になる。
前記揺動部は、前記平型ケーブル用コネクタによって保持された状態の前記平型ケーブルの上面に対して接触可能なケーブル押さえ部を更に有する。
前記抜去禁止突出部は、前記ハウジングと一体的に形成されている。
【発明の効果】
【０００８】
本発明によれば、以上の構成によれば、前記平型ケーブルが前記平型ケーブル用コネクタによって保持されている状態で、前記アクチュエータを前記ロック位置から前記アンロック位置へと回転させると、前記押上部によって前記平型ケーブルが前記基板から離れる方向へ押し上げられるので、前記平型ケーブルが前記抜去禁止突出部を乗り越え易くなり、もって、前記平型ケーブルを抜去し易くなる。また、前記アクチュエータを前記アンロック位置から前記ロック位置へと回転させると、前記平型ケーブルの有無に拘らず、前記押上部が前記基板に向かって移動することになるので、前記平型ケーブルが前記平型ケーブル用コネクタに保持された際の前記押上部が前記平型ケーブルの前記下面に対して作用する押上力が小さくなり、もって、前記平型ケーブル用コネクタによって保持された状態の前記平型ケーブルの意図しない浮き上がりを効果的に抑制することができる。
【図面の簡単な説明】
【０００９】
【図１】FPCコネクタの斜視図である。（第１実施形態）
【図２】FPCの斜視図である。（第１実施形態）
【図３】図２のB部拡大図である。（第１実施形態）
【図４】図１のA部拡大図である。（第１実施形態）
【図５】FPCを挿入したFPCコネクタの斜視図である。（第１実施形態）
【図６】FPCを保持するFPCコネクタの斜視図である。（第１実施形態）
【図７】FPCを挿入する前のFPCコネクタの側面断面図である。（第１実施形態）
【図８】FPCを挿入する前のFPCコネクタの側面断面図である。（第１実施形態）
【図９】FPCを挿入しないでアクチュエータを押し倒したときのFPCコネクタの側面断面図である。（第１実施形態）
【図１０】FPCを挿入しないでアクチュエータを押し倒したときのFPCコネクタの側面断面図である。（第１実施形態）
【図１１】FPCを挿入したFPCコネクタの側面断面図である。（第１実施形態）
【図１２】FPCを挿入したFPCコネクタの側面断面図である。（第１実施形態）
【図１３】FPCを保持するFPCコネクタの側面断面図である。（第１実施形態）
【図１４】FPCを保持するFPCコネクタの側面断面図である。（第１実施形態）
【図１５】図１４のC部拡大図である。（第１実施形態）
【図１６】FPCを保持するFPCコネクタの側面断面図である。（第２実施形態）
【図１７】FPCコネクタの斜視図である。（第３実施形態）
【図１８】図１７のD部拡大図である。（第３実施形態）
【図１９】FPCを保持するFPCコネクタの斜視図である。（第３実施形態）
【図２０】FPCを挿入する前のFPCコネクタの側面断面図である。（第３実施形態）
【図２１】FPCを挿入する前のFPCコネクタの側面断面図である。（第３実施形態）
【図２２】FPCを挿入する前のFPCコネクタの側面断面図である。（第３実施形態）
【図２３】FPCを挿入しないでアクチュエータを押し倒したときのFPCコネクタの側面断面図である。（第３実施形態）
【図２４】FPCを挿入したFPCコネクタの側面断面図である。（第３実施形態）
【図２５】FPCを挿入したFPCコネクタの側面断面図である。（第３実施形態）
【図２６】FPCを挿入したFPCコネクタの側面断面図である。（第３実施形態）
【図２７】FPCを保持するFPCコネクタの側面断面図である。（第３実施形態）
【図２８】特許文献１の図６に相当する図である。
【発明を実施するための形態】
【００１０】
（第１実施形態）
先ず、図１〜図１５を参照して、第１実施形態を説明する。
【００１１】
図１には、基板１のコネクタ搭載面１Aに実装されたFPCコネクタ２（平型ケーブル用コネクタ）を示している。FPCコネクタ２は、図２に示すFPC３（平型ケーブル、Flexible printed circuits）を基板１のコネクタ搭載面１Aに対して電気的及び機械的に接続するためのものである。
【００１２】
図２及び図３を参照して、FPC３について説明する。図２及び図３に示すように、FPC３は、可撓性を有するベースフィルム４と、ベースフィルム４の上面４Aに形成された複数の導電パターン５と、２つの補強板６と、を備える。図３に示すように、各導電パターン５は、細長く形成されている。複数の導電パターン５の長手方向は互いに平行である。複数の導電パターン５は、所定のピッチで配置されている。複数の導電パターン５が並べられる方向を以下、「ピッチ方向」と称する。各導電パターン５の長手方向を以下、「ケーブル長手方向」と称する。「ケーブル長手方向」のうち、FPC３をFPCコネクタ２に挿入する方向を「ケーブル挿入方向」と称し、FPC３をFPCコネクタ２から抜去する方向を「ケーブル抜去方向」と称する。各補強板６は、ベースフィルム４のピッチ方向における端部４Bに取り付けられている。各補強板６には、切り欠き７が形成されている。各切り欠き７は、ピッチ方向に開口するように形成されている。各補強板６は、フック８を有する。ケーブル長手方向において、切り欠き７とフック８は隣り合っている。ケーブル挿入方向において、切り欠き７とフック８がこの順で隣り合っている。フック８は、フック上面８Aとフック下面８Bを有する。
【００１３】
図１に示すように、FPCコネクタ２は、コネクタ本体１８と、コネクタ本体１８によって回転可能に支持されるアクチュエータ１９と、を備えている。本実施形態において、FPCコネクタ２は、アクチュエータ１９を後方に押し倒すバックフリップ型である。
【００１４】
図４に示すように、コネクタ本体１８は、複数の信号端子２０（端子）と、２つの抜去補助具２１と、ハウジング２２と、を備えている。
【００１５】
複数の信号端子２０と２つの抜去補助具２１は、ハウジング２２によって保持されている。コネクタ本体１８には、前方に開口するFPC挿入空間２３が形成されている。具体的には、ハウジング２２に、前方に開口するFPC挿入空間２３が形成されている。以上の構成で、FPC３を基板１に接続するには、先ず、図４に示すように、アクチュエータ１９がアンロック位置Pに位置するようにアクチュエータ１９を引き起こし、次に、図５に示すように、コネクタ本体１８のFPC挿入空間２３にFPC３を挿入し、そして、図６に示すように、アクチュエータ１９がロック位置Qに位置するようにアクチュエータ１９を後方に押し倒す。この一連の動作によって、FPC３はFPCコネクタ２によって保持され、FPC３が基板１に対して電気的及び機械的に接続することになる。
【００１６】
次に、ハウジング２２と、各信号端子２０、各抜去補助具２１の具体的な構成について順に説明する。
【００１７】
（ハウジング２２）
本実施形態において、図４に示されるハウジング２２は、射出成形された樹脂製の部品である。ハウジング２２は、基板１のコネクタ搭載面１A（図１を併せて参照）に対して平行に細長く延びている。図４に示すように、ハウジング２２は、ハウジング長手方向とハウジング短手方向を有する。ハウジング長手方向は、ハウジング２２の長手方向を意味する。ハウジング短手方向は、基板１のコネクタ搭載面１Aに対して平行であって、ハウジング長手方向に対して直交する方向である。前述したように、ハウジング２２には、前方に開口するFPC挿入空間２３が形成されている。ハウジング２２は、空間天井面２３Aと空間底面２３Bを有する。空間天井面２３Aは、FPC挿入空間２３の上方を区画する面である。空間底面２３Bは、FPC挿入空間２３の下方を区画する面である。空間天井面２３A及び空間底面２３Bは、何れも、基板１のコネクタ搭載面１Aに対して平行な面である。ハウジング２２は、更に、基板１から離れる方向に突出する２つの抜去禁止突出部２４を有する。即ち、２つの抜去禁止突出部２４は、樹脂製であって、ハウジング２２と一体的に形成されている。各抜去禁止突出部２４は、FPCコネクタ２によって保持された状態のFPC３のFPC挿入空間２３からの抜去を禁止するものである。各抜去禁止突出部２４は、空間底面２３Bから上方に突出して形成されている。各抜去禁止突出部２４は、空間底面２３Bよりも上方に突出して形成されている。図６に示すように、FPCコネクタ２によって保持された状態のFPC３の各補強板６のフック８が、各抜去禁止突出部２４に対してハウジング短手方向で対向すると共に、各補強板６のフック８が各抜去禁止突出部２４よりも後方に位置することで、FPCコネクタ２によって保持された状態のFPC３のFPC挿入空間２３からの抜去が禁止される。詳しくは、図６の状態で、FPCコネクタ２によって保持された状態のFPC３をFPCコネクタ２から抜去しようとすると、各補強板６のフック８が前方に移動して各抜去禁止突出部２４に突き当たり、各補強板６のフック８の更なる前方への移動が禁止される。これにより、各抜去禁止突出部２４によって、FPCコネクタ２によって保持された状態のFPC３のFPC挿入空間２３からの抜去が禁止される。
【００１８】
（信号端子２０）
図４に示すように、複数の信号端子２０は、ハウジング長手方向において所定のピッチで並ぶようにハウジング２２に保持されている。
【００１９】
図７に示すように、各信号端子２０は、端子固定部３０と、端子揺動部３１と、端子弾性連結部３２と、を有している。
【００２０】
端子固定部３０は、ハウジング２２に固定されている。端子固定部３０は、圧入部３３とハンダ脚部３４を有する。圧入部３３は、圧入によってハウジング２２に保持されている。ハンダ脚部３４は、基板１のコネクタ搭載面１Aに対してハンダ付け可能である。
【００２１】
端子揺動部３１は、端子弾性連結部３２を介して端子固定部３０に揺動自在に弾性支持されている。端子弾性連結部３２は、端子固定部３０から上方に延びている。端子揺動部３１は、接触梁３５と操作梁３６を有する。接触梁３５は、端子弾性連結部３２の上端から前方に向かって延びている。接触梁３５の先端には、下方に突出する接触部３７が形成されている。操作梁３６は、端子弾性連結部３２の上端から後方に向かって延びている。端子揺動部３１と端子弾性連結部３２は、T字を構成している。従って、操作梁３６が上方に移動すると接触部３７が下方に移動し、接触部３７が上方に移動すると操作梁３６が下方に移動する。
【００２２】
（抜去補助具２１）
２つの抜去補助具２１は、複数の信号端子２０をハウジング長手方向で挟むように、ハウジング２２に保持されている。
【００２３】
図４に示すように、各抜去補助具２１は、ハウジング２２の各抜去禁止突出部２４の近傍に配置されている。各抜去補助具２１は、ハウジング２２の抜去禁止突出部２４の後方に配置されている。
【００２４】
図８に示すように、各抜去補助具２１は、抜去固定部４０、抜去揺動部４１、抜去弾性連結部４２と、を有している。
【００２５】
抜去固定部４０は、ハウジング２２に固定されている。抜去固定部４０は、圧入部４３とハンダ脚部４４を有する。圧入部４３は、圧入によってハウジング２２に保持されている。ハンダ脚部４４は、基板１のコネクタ搭載面１Aに対してハンダ付け可能である。
【００２６】
抜去揺動部４１は、抜去弾性連結部４２を介して抜去固定部４０に揺動自在に弾性支持されている。抜去弾性連結部４２は、抜去固定部４０から上方に延びている。抜去揺動部４１は、押上梁４５と操作梁４６（操作部）を有する。押上梁４５は、抜去弾性連結部４２の上端４２Aから前方に向かって延びている。押上梁４５の先端４５Aには、上方に突出する押上部４７が形成されている。操作梁４６は、抜去弾性連結部４２の上端４２Aから後方に向かって延びている。抜去揺動部４１と抜去弾性連結部４２は、T字を構成している。従って、操作梁４６が上方に移動すると押上部４７が下方に移動し、押上部４７が上方に移動すると操作梁４６が下方に移動する。このように、操作梁４６と押上部４７は連動し、操作梁４６及び押上部４７は相対的に変位不能となっている。
【００２７】
（アクチュエータ１９）
図７に示すように、アクチュエータ１９は、その回転中心の近傍に、断面長丸形状の端子カム５０を有している。図７及び図９に示すように、アクチュエータ１９をアンロック位置Pからロック位置Qへと回転させると、端子カム５０が端子揺動部３１の操作梁３６を上方に押し上げることで接触部３７が下方へ移動する。逆に、アクチュエータ１９をロック位置Qからアンロック位置Pへと回転させると、端子カム５０による端子揺動部３１の操作梁３６の押し上げが解除され、端子弾性連結部３２のバネ復元力により操作梁３６が下方へ移動すると共に、接触部３７が上方へと移動する。端子カム５０は、操作梁３６と常時接触していてもよいし、アクチュエータ１９がアンロック位置Pに位置するときは操作梁３６と接触していなくてもよい。
【００２８】
図８に示すように、アクチュエータ１９は、その回転中心の近傍に、断面長丸形状の抜去カム５１を有している。図８及び図１０に示すように、アクチュエータ１９をアンロック位置Pからロック位置Qへと回転させると、抜去カム５１が抜去揺動部４１の操作梁４６を上方に押し上げることで押上部４７が下方へ移動する。逆に、アクチュエータ１９をロック位置Qからアンロック位置Pへと回転させると、抜去カム５１による抜去揺動部４１の操作梁４６の押し上げが解除され、抜去弾性連結部４２のバネ復元力により操作梁４６が下方へ移動すると共に、押上部４７が上方へと移動する。抜去カム５１は、操作梁４６と常時接触していてもよいし、アクチュエータ１９がアンロック位置Pに位置するときは操作梁４６と接触していなくてもよい。
【００２９】
このように、図８及び図１０に示すように、FPC３がFPC挿入空間２３に挿入されていない状態で、アクチュエータ１９をロック位置Q（図１０）からアンロック位置P（図８）へと回転させると、アクチュエータ１９と操作梁４６との接触を伴いつつ抜去揺動部４１が揺動して、押上部４７が上方へ移動する。同様に、FPC３がFPC挿入空間２３に挿入されていない状態で、アクチュエータ１９をアンロック位置P（図８）からロック位置Q（図１０）へと回転させると、アクチュエータ１９と操作梁４６との接触を伴いつつ抜去揺動部４１が揺動して、押上部４７が基板１に向かって移動する。
【００３０】
（作動）
次に、図７〜図１５を参照して、FPCコネクタ２の作動を詳細に説明する。
【００３１】
FPC３を基板１に接続するには、まず、図７及び図８に示すように、アクチュエータ１９をアンロック位置Pへと引き起こしておく。この状態で、図１１及び図１２に示すように、FPC３をFPC挿入空間２３に挿入する。すると、図１１に示すように、信号端子２０の端子揺動部３１の接触部３７がFPC３の各導電パターン５と対向する。同様に、図１２に示すように、抜去補助具２１の抜去揺動部４１の押上部４７がFPC３の各補強板６のフック８のフック下面８Bと対向する。また、図１２に示すように、各抜去禁止突出部２４がFPC３の各補強板６の切り欠き７に若干挿入される。
【００３２】
次に、図１３及び図１４に示すように、アクチュエータ１９をアンロック位置Pからロック位置Qへと押し倒す。すると、図１３に示すように、端子カム５０が操作梁３６を上方に移動させることで、接触部３７が下方に移動する。接触部３７が下方に移動することで、接触部３７は、各導電パターン５に対して接触すると共に、FPC３をハウジング２２の空間底面２３Bに押し付けて、FPC３をハウジング２２の空間底面２３Bに着座させる。同時に、図１４に示すように、抜去カム５１が操作梁４６を上方に移動させることで、押上部４７が下方に移動する。押上部４７が下方に移動した結果、図１５に示すように、押上部４７は、各補強板６のフック８のフック下面８Bに対して接触不能な状態となる。従って、図１５の状態で、各抜去補助具２１はFPC３の各補強板６を押し上げてはおらず、もって、FPCコネクタ２によって保持された状態のFPC３の各補強板６における意図しない浮き上がりを効果的に抑制することができる。
【００３３】
一方で、FPC３をFPCコネクタ２から抜去するには、図１１及び図１２に示すように、アクチュエータ１９をロック位置Qからアンロック位置Pへと引き起こす。すると、図１１に示すように、接触部３７が上方へ移動することで、ハウジング２２の空間底面２３Bに対するFPC３の押し付けが解除され、FPC３がFPC挿入空間２３内において上下に移動自在となる。また、図１２に示すように、押上部４７が上方へ移動することで、押上部４７がFPC３の各補強板６のフック８のフック下面８Bに接触すると共に、押上部４７がFPC３の各補強板６のフック８を上方へと押し上げる。また、このとき、押上部４７は、抜去禁止突出部２４の上端部２４Aとハウジング短手方向で対向する。FPC３の各補強板６のフック８が上方へ押し上げられるので、FPC３の各補強板６のフック８と各抜去禁止突出部２４とのハウジング短手方向における対向が解除される。後は、FPC３をFPCコネクタ２から引き抜けばよい。このとき、FPC３の各補強板６のフック８と各抜去禁止突出部２４とのハウジング短手方向における対向が解除されているので、FPC３をFPCコネクタ２から引き抜く際、各補強板６のフック８が各抜去禁止突出部２４に突き当たり難く、FPC３の抜去が阻止され難くなっている。また、FPC３の各補強板６のフック８が各抜去禁止突出部２４に衝突することによってFPC３の各補強板６のフック８や各抜去禁止突出部２４が破損してしまうことも効果的に阻止できる。
【００３４】
以上に、第１実施形態を説明した。上記第１実施形態は、以下の特長を有する。
【００３５】
FPCコネクタ２（平型ケーブル用コネクタ）は、FPC３（平型ケーブル）を基板１に対して接続するために、基板１に搭載されるコネクタである。FPCコネクタ２は、FPC３に接触可能な信号端子２０（端子）と、FPC３の抜去を補助する抜去補助具２１と、信号端子２０及び抜去補助具２１を保持するハウジング２２と、を有するコネクタ本体１８と、コネクタ本体１８によって回転可能に支持されたアクチュエータ１９と、を備える。コネクタ本体１８には、FPC３を挿入可能なFPC挿入空間２３（ケーブル挿入空間）が形成されている。FPC３をFPC挿入空間２３に挿入し、アクチュエータ１９をアンロック位置P（図１１参照）からロック位置Q（図１３参照）へと回転させると、FPC３がFPCコネクタ２によって保持されるように構成されている。コネクタ本体１８は、コネクタ本体１８によって保持された状態のFPC３のFPC挿入空間２３からの抜去を禁止するために、基板１から離れる方向に突出する抜去禁止突出部２４を有している。抜去補助具２１は、ハウジング２２に固定される抜去固定部４０（固定部）と、抜去揺動部４１（揺動部）と、抜去固定部４０（固定部）と抜去揺動部４１（揺動部）を弾性的に連結する抜去弾性連結部４２（弾性連結部）と、を有する。抜去揺動部４１は、アクチュエータ１９に対して接触可能な操作梁４６（操作部）と、FPC３のフック下面８B（下面）に対して接触可能な押上部４７と、を有する。
【００３６】
そして、図８及び図１０に示すように、FPC３がFPC挿入空間２３に挿入されていない状態で、アクチュエータ１９をロック位置Q（図１０参照）からアンロック位置P（図８参照）へと回転させると、アクチュエータ１９と操作梁４６との接触を伴いつつ抜去揺動部４１が揺動して、押上部４７が基板１から離れる方向へ移動する。同様に、図８及び図１０に示すように、FPC３がFPC挿入空間２３に挿入されていない状態で、アクチュエータ１９をアンロック位置P（図８参照）からロック位置Q（図１０参照）へと回転させると、アクチュエータ１９と操作梁４６との接触を伴いつつ抜去揺動部４１が揺動して、押上部４７が基板１に向かって移動する。
【００３７】
以上の構成によれば、FPC３がFPCコネクタ２によって保持されている状態で、アクチュエータ１９をロック位置Qからアンロック位置Pへと回転させると、押上部４７によってFPC３が基板１から離れる方向へ押し上げられるので、FPC３の各補強板６のフック８が抜去禁止突出部２４を乗り越え易くなり、もって、FPC３を抜去し易くなる。また、アクチュエータ１９をアンロック位置Pからロック位置Qへと回転させると、FPC３の有無に拘らず、押上部４７が基板１に向かって移動することになるので、FPC３がFPCコネクタ２に保持された際の押上部４７がFPC３のフック下面８Bに対して作用する押上力が小さくなり、もって、FPCコネクタ２によって保持された状態のFPC３の意図しない浮き上がりを効果的に抑制することができる。また、FPCコネクタ２によって保持された状態のFPC３の意図しない撓みも抑制されるので、接触安定性にも寄与する。
【００３８】
なお、本実施形態において、FPCコネクタ２は、複数の信号端子２０を有することとしたが、これに代えて、１つの信号端子２０を備えていてもよい。FPCコネクタ２は、２つの抜去補助具２１を有することとしたが、これに代えて、１つの抜去補助具２１を有することとしてもよい。
【００３９】
また、押上部４７は、抜去禁止突出部２４の近傍に配置されている。以上の構成によれば、押上部４７が抜去禁止突出部２４の近傍に配置されていない場合と比較して、FPC３を一層抜去し易くなる。
【００４０】
また、図１２に示すように、アクチュエータ１９をロック位置Qからアンロック位置Pへと回転させると、押上部４７が基板１から離れる方向へ移動し、押上部４７が抜去禁止突出部２４の上端部２４Aと対向する。以上の構成によれば、アクチュエータ１９をロック位置Qからアンロック位置Pへと回転させて、押上部４７が基板１から離れる方向へ移動しても、押上部４７が抜去禁止突出部２４の上端部２４Aと対向しない場合と比較して、FPC３を一層抜去し易くなる。
【００４１】
また、FPC挿入空間２３は、前方に開口するようにコネクタ本体１８に形成されている。抜去補助具２１は、抜去禁止突出部２４の後方に配置されている。即ち、抜去補助具２１を備えるとFPCコネクタ２のサイズが大きくなることが懸念される。これに対し、抜去禁止突出部２４の後方にあるデッドスペースに抜去補助具２１を配置することで、FPCコネクタ２のサイズを小さく抑えることができる。
【００４２】
また、図１５に示すように、アクチュエータ１９をアンロック位置Pからロック位置Qへと回転させると、押上部４７が基板１に向かって移動し、押上部４７がFPC３のフック下面８Bと接触不能になる。具体的には、押上部４７がハウジング２２の空間底面２３Bよりも下方に位置することになる。以上の構成によれば、FPCコネクタ２によって保持された状態のFPC３の意図しない浮き上がりを一層効果的に抑制することができる。
【００４３】
以上に、第１実施形態を説明したが、上記第１実施形態は以下のように変更できる。
【００４４】
即ち、平型ケーブルとして、上記第１実施形態ではFPC３を取り上げたが、これに代えて、FFC（Flexible flat cable）を取り上げてもよい。
【００４５】
また、図１５に示すように、上記第１実施形態では、アクチュエータ１９がロック位置Qに位置するとき、押上部４７がFPC３のフック下面８Bに対して接触不能に構成したが、これに代えて、アクチュエータ１９がロック位置Qに位置するとき、押上部４７がFPC３のフック下面８Bに対して接触可能に構成してもよい。
【００４６】
なお、本明細書において、「前方」とは、FPC挿入空間２３が開口する方向を意味する。「後方」とは、「前方」の反対の方向である。
【００４７】
（第２実施形態）
次に、図１６を参照して、第２実施形態を説明する。以下、本実施形態が上記第１実施形態と異なる点を説明し、重複する説明は省略する。
【００４８】
図１６に示すように、本実施形態の抜去揺動部４１は、ケーブル押さえ部４８を更に有している。ケーブル押さえ部４８は、押上梁４５の中途から前方に突出している。押上梁４５と操作梁４６、ケーブル押さえ部４８は、相対的に変位不能に一体的に構成されている。アクチュエータ１９がロック位置Qに位置する状態で、ケーブル押さえ部４８は、FPCコネクタ２によって保持された状態のFPC３を挟んで、押上部４７と反対側に位置している。アクチュエータ１９がロック位置Qに位置する状態で、ケーブル押さえ部４８は、FPC３の各補強板６のフック８のフック上面８Aに対して接触している。従って、FPCコネクタ２によって保持された状態のFPC３の各補強板６における意図しない浮き上がりを効果的に抑制することができる。
【００４９】
上記第２実施形態は、以下の特長を有する。
【００５０】
抜去揺動部４１は、FPCコネクタ２によって保持された状態のFPC３のフック上面８A（上面）に対して接触可能なケーブル押さえ部４８を更に有する。以上の構成によれば、FPCコネクタ２によって保持された状態のFPC３の意図しない浮き上がりを一層効果的に抑制することができる。
【００５１】
（第３実施形態）
次に、図１７〜図２７を参照して、第３実施形態を説明する。以下、本実施形態が上記第１実施形態と異なる点を説明し、重複する説明は省略する。
【００５２】
図１７に示すように、FPCコネクタ２は、コネクタ本体１８と、コネクタ本体１８によって回転可能に支持されるアクチュエータ１９と、を備えている。本実施形態において、FPCコネクタ２は、アクチュエータ１９を前方に押し倒すフロントフリップ型である。
【００５３】
図１８に示すように、コネクタ本体１８は、複数の第１信号端子６０（端子）と、複数の第２信号端子６１（端子）と、２つの抜去補助具６２と、ハウジング６３と、を備えている。
【００５４】
複数の第１信号端子６０及び複数の第２信号端子６１と２つの抜去補助具６２は、ハウジング６３によって保持されている。コネクタ本体１８には、前方に開口するFPC挿入空間６４が形成されている。以上の構成で、FPC３を基板１に接続するには、先ず、図１８に示すように、アクチュエータ１９がアンロック位置Pに位置するようにアクチュエータ１９を引き起こし、次に、ハウジング６３のFPC挿入空間６４にFPC３を挿入し、そして、図１９に示すように、アクチュエータ１９がロック位置Qに位置するようにアクチュエータ１９を前方に押し倒す。この一連の動作によって、FPC３はFPCコネクタ２によって保持され、FPC３が基板１に対して電気的及び機械的に接続することになる。
【００５５】
次に、ハウジング６３と、各第１信号端子６０、各第２信号端子６１、各抜去補助具６２の具体的な構成について順に説明する。
【００５６】
（ハウジング６３）
本実施形態において、図１８に示されるハウジング６３は、射出成形された樹脂製の部品である。ハウジング６３は、基板１のコネクタ搭載面１A（図１７を併せて参照）に対して平行に細長く延びている。図１８に示すように、ハウジング６３は、ハウジング長手方向とハウジング短手方向を有する。ハウジング長手方向は、ハウジング６３の長手方向を意味する。ハウジング短手方向は、基板１のコネクタ搭載面１Aに対して平行であって、ハウジング長手方向に対して直交する方向である。前述したように、コネクタ本体１８には、前方に開口するFPC挿入空間６４が形成されている。ハウジング６３は、空間底面６４Bを有する。空間底面６４Bは、FPC挿入空間６４の下方を区画する面である。空間底面６４Bは、基板１のコネクタ搭載面１Aに対して平行な面である。ハウジング６３は、更に、基板１から離れる方向に突出する２つの抜去禁止突出部６５を有する。各抜去禁止突出部６５は、FPCコネクタ２によって保持された状態のFPC３のFPC挿入空間６４からの抜去を禁止するものである。各抜去禁止突出部６５は、空間底面６４Bから上方に突出して形成されている。各抜去禁止突出部６５は、空間底面６４Bよりも上方に突出して形成されている。上記第１実施形態と同様、FPCコネクタ２によって保持された状態のFPC３の各補強板６のフック８が、各抜去禁止突出部６５に対してハウジング短手方向で対向すると共に、各補強板６のフック８が各抜去禁止突出部６５よりも後方に位置することで、FPCコネクタ２によって保持された状態のFPC３のFPC挿入空間６４からの抜去が禁止される。詳しくは、図１９の状態で、FPCコネクタ２によって保持された状態のFPC３をFPCコネクタ２から抜去しようとすると、各補強板６のフック８が前方に移動して各抜去禁止突出部６５に突き当たり、各補強板６のフック８の更なる前方への移動が阻止される。これにより、各抜去禁止突出部６５によって、FPCコネクタ２によって保持された状態のFPC３のFPC挿入空間６４からの抜去が禁止される。
【００５７】
（第１信号端子６０）
図１８に示すように、複数の第１信号端子６０は、ハウジング長手方向において所定のピッチで並ぶように、ハウジング６３に保持されている。
【００５８】
図２０に示すように、各第１信号端子６０は、第１端子固定部６６と、第１上部梁６７と、第１下部梁６８と、を有している。
【００５９】
第１端子固定部６６は、圧入によってハウジング６３に固定されている。
【００６０】
第１上部梁６７は、第１端子固定部６６の上端から前方に延びている。第１上部梁６７の先端には、アクチュエータ１９を回転自在に保持するU字状の保持部６７Aが形成されている。
【００６１】
第１下部梁６８は、第１端子固定部６６の下端から前方に延びている。第１下部梁６８の先端には、ハンダ脚部６８Aが形成されている。ハンダ脚部６８Aは、基板１のコネクタ搭載面１Aに対してハンダ付け可能である。第１下部梁６８の中途には、片持ち梁状の第１接触梁６８Bが形成されている。
【００６２】
（第２信号端子６１）
図２１に示すように、各第２信号端子６１は、圧入によってハウジング６３に保持されている。各第２信号端子６１は、ハンダ脚部６９を有する基部７０と、第２上部梁７１と、第２下部梁７２と、を有している。
【００６３】
第２上部梁７１は、FPC挿入空間６４の上方において、基部７０から前方に延びている。第２上部梁７１の先端には、アクチュエータ１９を回転自在に保持する保持部７１Aが形成されている。
【００６４】
第２下部梁７２は、FPC挿入空間６４の下方において、基部７０から前方に延びている。第２下部梁７２の先端には、上方に突出する接触部７２Aが形成されている。
【００６５】
図１８に示すように、複数の第１信号端子６０と複数の第２信号端子６１は、ハウジング長手方向において、交互に並べられている。
【００６６】
（抜去補助具６２）
２つの抜去補助具６２は、複数の第１信号端子６０及び複数の第２信号端子６１をハウジング長手方向で挟むように、ハウジング６３に保持されている。
【００６７】
図１８に示すように、各抜去補助具６２は、ハウジング６３の各抜去禁止突出部６５の近傍に配置されている。各抜去補助具６２は、ハウジング６３の各抜去禁止突出部６５の後方に配置されている。
【００６８】
図２２に示すように、各抜去補助具６２は、抜去固定部７３、抜去揺動部７４、抜去弾性連結部７５と、を有している。
【００６９】
抜去固定部７３は、ハウジング６３に固定されている。抜去固定部７３は、圧入部７６とハンダ脚部７７を有する。圧入部７６は、圧入によってハウジング６３に保持されている。ハンダ脚部７７は、基板１のコネクタ搭載面１Aに対してハンダ付け可能である。
【００７０】
抜去揺動部７４は、抜去弾性連結部７５を介して抜去固定部７３に揺動自在に弾性支持されている。抜去弾性連結部７５は、抜去固定部７３から前方に延びている。抜去揺動部７４は、押上梁７８と操作梁７９（操作部）を有する。押上梁７８及び操作梁７９は、何れも、抜去弾性連結部７５から前方に向かって延びている。押上梁７８は、操作梁７９の下方で抜去弾性連結部７５から前方に向かって延びている。操作梁７９は、押上梁７８の上方で抜去弾性連結部７５から前方に向かて延びている。押上梁７８の先端７８Aには、上方に突出する押上部７８Bが形成されている。押上梁７８と操作梁７９は、前方に開口するU字を構成している。操作梁７９及び押上部７８Bは、相対的に変位不能に構成されている。従って、操作梁７９が上方に移動すると押上部７８Bも同様に上方に移動し、操作梁７９が下方に移動すると押上部７８Bも同様に下方に移動する。
【００７１】
（アクチュエータ１９）
図２２に示すように、アクチュエータ１９は、その回転中心の近傍に、断面長丸形状の抜去カム８０を有している。図２２に示すようにアクチュエータ１９がアンロック位置Pに位置するとき、抜去カム８０が抜去揺動部７４の操作梁７９を上方に押し上げている。これにより、押上部７８Bが上方へ押し上げられた状態となっている。図２２及び図２３に示すように、アクチュエータ１９をアンロック位置Pからロック位置Qへと回転させると、抜去カム８０による抜去揺動部７４の操作梁７９の押し上げが解除され、抜去弾性連結部７５のバネ復元力により操作梁７９が下方へ移動すると共に、押上部７８Bが下方へと移動する。抜去カム８０は、操作梁７９と常時接触していてもよいし、アクチュエータ１９がロック位置Qに位置するときは操作梁７９と接触していなくてもよい。
【００７２】
このように、図２２及び図２３に示すように、FPC３がFPC挿入空間６４（図１８参照）に挿入されていない状態で、アクチュエータ１９をロック位置Q（図２３）からアンロック位置P（図２２）へと回転させると、アクチュエータ１９と操作梁７９との接触を伴いつつ抜去揺動部７４が揺動して、押上部７８Bが基板１から離れる方向へ移動する。同様に、FPC３がFPC挿入空間６４に挿入されていない状態で、アクチュエータ１９をアンロック位置P（図２２）からロック位置Q（図２３）へと回転させると、アクチュエータ１９と操作梁７９との接触を伴いつつ抜去揺動部７４が揺動して、押上部７８Bが基板１に向かって移動する。
【００７３】
（作動）
次に、図２０〜図２７を参照して、FPCコネクタ２の作動を詳細に説明する。
【００７４】
FPC３を基板１に接続するには、まず、図２０〜図２２に示すように、アクチュエータ１９をアンロック位置Pへと引き起こしておく。この状態で、図２４及び図２５に示すように、FPC３をFPC挿入空間６４に挿入する。すると、図２４に示すように、第１信号端子６０の第１接触梁６８BがFPC３の下面３Bに形成された図示しない導電パターンと対向する。同様に、図２５に示すように、第２信号端子６１の接触部７２AがFPC３の下面３Bに形成された図示しない導電パターンと対向する。また、図２６に示すように、抜去補助具６２の抜去揺動部７４の押上部７８BがFPC３の各補強板６のフック８のフック下面８Bと対向する。
【００７５】
次に、図２４〜図２７に示すように、アクチュエータ１９をアンロック位置Pからロック位置Qへと押し倒す。すると、図２７に示すように、アクチュエータ１９がFPC３の上面３Aと直接的に接触しながら、アクチュエータ１９がFPC３を下方に向かって押し下げる。これにより、図２４に示す第１接触梁６８BがFPC３の下面３Bに形成された導電パターンと接触する。同様に、図２５に示す接触部７２AがFPC３の下面３Bに形成された導電パターンと接触する。
【００７６】
また、図２７に示すように、抜去カム８０による操作梁７９の押し上げが解除されることで、抜去弾性連結部７５のバネ復元力により押上部７８Bが下方へ移動する。押上部７８Bが下方に移動した結果、押上部７８Bは、各補強板６のフック８のフック下面８Bに対して僅かに接触した状態となる。従って、図２７の状態で、各抜去補助具６２はFPC３の各補強板６を実質的には押し上げてはおらず、もって、FPCコネクタ２によって保持された状態のFPC３の各補強板６における意図しない浮き上がりを効果的に抑制することができる。
【００７７】
一方で、FPC３をFPCコネクタ２から抜去するには、図２６に示すように、アクチュエータ１９をロック位置Qからアンロック位置Pへと引き起こす。すると、アクチュエータ１９が引き起こされることで、ハウジング６３の空間底面６４Bに対するFPC３の押し付けが解除され、FPC３が上下に移動自在となる。また、押上部７８Bが上方へ移動することで、押上部７８BがFPC３の各補強板６のフック８を上方へと押し上げる。FPC３の各補強板６のフック８が上方へ押し上げられるので、FPC３の各補強板６のフック８と各抜去禁止突出部６５とのハウジング短手方向における対向が解除される。後は、FPC３をFPCコネクタ２から引き抜けばよい。このとき、FPC３の各補強板６のフック８と各抜去禁止突出部６５とのハウジング短手方向における対向が解除されているので、FPC３をFPCコネクタ２から引き抜く際、各補強板６のフック８が各抜去禁止突出部６５に突き当たり難く、FPC３の抜去が阻止され難くなっている。また、FPC３の各補強板６のフック８が各抜去禁止突出部６５に衝突することによって、FPC３の各補強板６のフック８や各抜去禁止突出部６５が破損してしまうことも効果的に阻止できる。
【００７８】
以上に、第３実施形態を説明した。上記第３実施形態は、以下の特長を有する。
【００７９】
FPCコネクタ２（平型ケーブル用コネクタ）は、FPC３（平型ケーブル）を基板１に対して接続するために、基板１に搭載されるコネクタである。FPCコネクタ２は、FPC３に接触可能な第１信号端子６０（第２信号端子６１）と、FPC３の抜去を補助する抜去補助具６２と、第１信号端子６０及び抜去補助具６２を保持するハウジング６３と、を有するコネクタ本体１８と、コネクタ本体１８によって回転可能に支持されたアクチュエータ１９と、を備える。コネクタ本体１８には、FPC３を挿入可能なFPC挿入空間６４（ケーブル挿入空間）が形成されている。FPC３をFPC挿入空間６４に挿入し、アクチュエータ１９をアンロック位置Pからロック位置Qへと回転させると、FPC３がFPCコネクタ２によって保持されるように構成されている。コネクタ本体１８は、コネクタ本体１８によって保持された状態のFPC３のFPC挿入空間６４からの抜去を禁止するために、基板１から離れる方向に突出する抜去禁止突出部６５を有する。抜去補助具６２は、ハウジング６３に固定される抜去固定部７３（固定部）と、抜去揺動部７４（揺動部）と、抜去固定部７３と抜去揺動部７４を弾性的に連結する抜去弾性連結部７５（弾性連結部）と、を有する。抜去揺動部７４は、アクチュエータ１９に対して接触可能な操作梁７９（操作部）と、FPC３のフック下面８B（下面）に対して接触可能な押上部７８Bと、を有する。FPC３がFPC挿入空間６４に挿入されていない状態で、アクチュエータ１９をロック位置Qからアンロック位置Pへと回転させると、アクチュエータ１９と操作梁７９との接触を伴いつつ抜去揺動部７４が揺動して、押上部７８Bが基板１から離れる方向へ移動する。FPC３がFPC挿入空間６４に挿入されていない状態で、アクチュエータ１９をアンロック位置Pからロック位置Qへと回転させると、アクチュエータ１９と操作梁７９との接触を伴いつつ抜去揺動部７４が揺動して、押上部７８Bが基板１に向かって移動する。以上の構成によれば、FPC３がFPCコネクタ２によって保持されている状態で、アクチュエータ１９をロック位置Qからアンロック位置Pへと回転させると、押上部７８BによってFPC３が基板１から離れる方向へ押し上げられるので、FPC３が抜去禁止突出部６５を乗り越え易くなり、もって、FPC３を抜去し易くなる。また、アクチュエータ１９をアンロック位置Pからロック位置Qへと回転させると、FPC３の有無に拘らず、押上部７８Bが基板１に向かって移動することになるので、FPC３がFPCコネクタ２に保持された際の押上部７８BがFPC３のフック下面８Bに対して作用する押上力が小さくなり、もって、FPCコネクタ２によって保持された状態のFPC３の意図しない浮き上がりを効果的に抑制することができる。また、FPCコネクタ２によって保持された状態のFPC３の意図しない撓みも抑制されるので、接触安定性にも寄与する。
【符号の説明】
【００８０】
１  基板
１A  コネクタ搭載面
２  FPCコネクタ（平型ケーブル用コネクタ）
３  FPC（平型ケーブル）
３A  上面
３B  下面
４  ベースフィルム
４A  上面
４B  端部
５  導電パターン
６  補強板
７  切り欠き
８  フック
８A  フック上面（上面）
８B  フック下面（下面）
１８  コネクタ本体
１９  アクチュエータ
２０  信号端子（端子）
２１  抜去補助具
２２  ハウジング
２３  FPC挿入空間（ケーブル挿入空間）
２３A  空間天井面
２３B  空間底面
２４  抜去禁止突出部
２４A  上端部
３０  端子固定部
３１  端子揺動部
３２  端子弾性連結部
３３  圧入部
３４  ハンダ脚部
３５  接触梁
３６  操作梁
３７  接触部
４０  抜去固定部（固定部）
４１  抜去揺動部（揺動部）
４２  抜去弾性連結部（弾性連結部）
４２A  上端
４３  圧入部
４４  ハンダ脚部
４５  押上梁
４５A  先端
４６  操作梁（操作部）
４７  押上部
４８  ケーブル押さえ部
５０  端子カム
５１  抜去カム
６０  第１信号端子（端子）
６１  第２信号端子（端子）
６２  抜去補助具
６３  ハウジング
６４  FPC挿入空間（ケーブル挿入空間）
６４B  空間底面
６５  抜去禁止突出部
６６  第１端子固定部
６７  第１上部梁
６７A  保持部
６８  第１下部梁
６８A  ハンダ脚部
６８B  第１接触梁
６９  ハンダ脚部
７０  基部
７１  第２上部梁
７１A  保持部
７２  第２下部梁
７２A  接触部
７３  抜去固定部（固定部）
７４  抜去揺動部（揺動部）
７５  抜去弾性連結部（弾性連結部）
７６  圧入部
７７  ハンダ脚部
７８  押上梁
７８A  先端
７８B  押上部
７９  操作梁（操作部）
８０  抜去カム
P  アンロック位置
Q  ロック位置
【図１】
0006498572.tif 000002
【図２】
0006498572.tif 000003
【図３】
0006498572.tif 000004
【図４】
0006498572.tif 000005
【図５】
0006498572.tif 000006
【図６】
0006498572.tif 000007
【図７】
0006498572.tif 000008
【図８】
0006498572.tif 000009
【図９】
0006498572.tif 000010
【図１０】
0006498572.tif 000011
【図１１】
0006498572.tif 000012
【図１２】
0006498572.tif 000013
【図１３】
0006498572.tif 000014
【図１４】
0006498572.tif 000015
【図１５】
0006498572.tif 000016
【図１６】
0006498572.tif 000017
【図１７】
0006498572.tif 000018
【図１８】
0006498572.tif 000019
【図１９】
0006498572.tif 000020
【図２０】
0006498572.tif 000021
【図２１】
0006498572.tif 000022
【図２２】
0006498572.tif 000023
【図２３】
0006498572.tif 000024
【図２４】
0006498572.tif 000025
【図２５】
0006498572.tif 000026
【図２６】
0006498572.tif 000027
【図２７】
0006498572.tif 000028
【図２８】
0006498572.tif 000029